(57)【要約】      （修正有）【課題】衝突前制御を適切に実行させることができる衝突前制御装置を提供する。【解決手段】衝突前制御装置（運転支援装置）は、運転支援ＥＣＵを備える。運転支援ＥＣＵは、白線オフセット量Ｄ１を算出し、自車両ＳＶの幅方向ｙに沿った方向、且つ、自車両から離れる方向に、白線オフセット量だけ位置をずらした区画線の位置を、判定境界線ＤＬとして設定する。運転支援ＥＣＵは、対象物標（対向車両ＯＶ）が判定境界線を越えた場合であって、対象物標が自車両に衝突する可能性がある場合に、衝突前制御を実行する。【選択図】図４
2020155007.tif 000002
【特許請求の範囲】
【請求項１】
車両に適用される衝突前制御装置であって、
前記車両が走行している走行車線である自車線の範囲外の所定領域を前記車両に向かって移動する他車両を対象物標として認識し、前記対象物標の位置、幅及び長さを含む物標情報を取得する物標認識部と、
前記自車線を区画する区画線を認識し、前記区画線の位置を取得する区画線認識部と、
前記車両が走行すると予想される予想走行軌跡と前記対象物標が移動すると予想される予想移動軌跡を推定し、前記予想走行軌跡及び前記予想移動軌跡に基づいて、前記車両と前記対象物標との衝突時角を算出する衝突時角算出部と、
前記対象物標の前記幅及び前記長さ、並びに、前記衝突時角に基づいて、前記対象物標の前記車両の幅方向に沿った方向の一端及び他端の間の長さをオフセット量として算出し、前記車両の幅方向に沿った方向、且つ、前記車両から離れる方向に、前記オフセット量だけ位置をずらした前記区画線の位置を、判定境界線として設定する区画線位置補正部と、
前記対象物標が前記判定境界線を越えたか否かを判定する区画線越境判定部と、
前記対象物標が前記判定境界線を越えたと判定された場合であって、前記対象物標が前記車両に衝突する可能性がある場合に、衝突前制御を実行する衝突前制御部と、
を備えた
衝突前制御装置。
【発明の詳細な説明】
【技術分野】
【０００１】
本発明は、自車両が障害物と衝突する可能性がある場合に衝突前制御を実行する衝突前制御装置に関する。
【背景技術】
【０００２】
特許文献１が開示する運転支援装置は、自車両側の道路への進入軌跡を推定し、推定した進入軌跡に基づいて、他車両が自車両の走行車線にはみ出して衝突の可能性があると判定した場合、警報出力、強制制動及び回避操舵等の運転支援制御を実行する。
【先行技術文献】
【特許文献】
【０００３】
【特許文献１】特開２０１０−８３３１４号公報
【発明の概要】
【０００４】
ところで、本願発明者は、自車両に向かって走行する対向車両が、自車両の走行車線（自車線）を区画する白線を越えたことを、衝突前制御の実行条件の一つとした衝突前制御装置を、検討している。この衝突前制御装置は、レーダセンサを含む周囲センサを用いて、対向車両を対象物標として認識し、その対象物標の位置を取得（検出）する。
【０００５】
しかしながら、この衝突前制御装置では、自車両に近い位置で、対象物標が自車線の白線を越えるとき、レーダセンサの検出精度が低下することに起因して、対象物標の検出位置の精度が低下する可能性があることが判明した。このため、対象物標が白線を越えたとの判定が、実際に対向車両が白線を越えたタイミングより遅れる可能性があることが判明した。その結果、衝突前制御の実行開始が遅れたり、衝突前制御が実行されるべき状況で、衝突前制御が実行されなくなったりしてしまう可能性があることが判明した。
【０００６】
本発明は上述した課題に対処するためになされた。即ち、本発明の目的の一つは、衝突前制御を適切に実行させることができる衝突前制御装置（以下、「本発明制御装置」とも称呼する。）を提供することにある。
【０００７】
本発明制御装置は、車両（ＳＶ）に適用される。
本発明制御装置は、前記車両が走行している走行車線である自車線の範囲外の所定領域を前記車両に向かって移動する他車両（ＯＶ）を対象物標として認識し、前記対象物標の位置（Ｄｆｘ、Ｄｆｙ）、幅（Ｗ）及び長さ（Ｌ）を含む物標情報を取得する（ステップ５０５、ステップ５１５）物標認識部（１１ｃ）と、前記自車線を区画する区画線（ＷＬ、ＷＲ）を認識し、前記区画線の位置を取得する（ステップ５１０）区画線認識部（１１ｂ）と、前記車両が走行すると予想される予想走行軌跡（ＳＬ）と前記対象物標が移動すると予想される予想移動軌跡（ＯＬ）を推定し、前記予想走行軌跡及び前記予想移動軌跡に基づいて、前記車両と前記対象物標との衝突時角（θｂ）を算出する（ステップ５２０）衝突時角算出部（１０）と、前記対象物標の前記幅及び前記長さ、並びに、前記衝突時角に基づいて、前記対象物標の前記車両の幅方向に沿った方向の一端及び他端の間の長さをオフセット量（Ｄ１）として算出し（ステップ５２５）、前記車両の幅方向に沿った方向、且つ、前記車両から離れる方向に、前記オフセット量だけ位置をずらした前記区画線の位置を、判定境界線（ＤＬ）として設定する（ステップ５３０）区画線位置補正部（１０）と、前記対象物標が前記判定境界線を越えたか否かを判定する（ステップ５３０）区画線越境判定部（１０）と、前記対象物標が前記判定境界線を越えたと判定された場合（ステップ５３０での「Ｙｅｓ」との判定）であって、前記対象物標が前記車両に衝突する可能性がある場合（ステップ５３５での「Ｙｅｓ」との判定）に、衝突前制御を実行する衝突前制御部（１０）と、を備える。
【０００８】
本発明制御装置によれば、衝突前制御を適切に実行させることができる。
【０００９】
上記説明においては、本発明の理解を助けるために、後述する実施形態に対応する発明の構成に対し、その実施形態で用いた名称及び／又は符号を括弧書きで添えている。しかしながら、本発明の各構成要素は、前記名称及び／又は符号によって規定される実施形態に限定されるものではない。
【図面の簡単な説明】
【００１０】
【図１】図１は本発明の実施形態に係る運転支援装置の概略構成図である。
【図２】図２は運転支援装置の作動の概要を説明するための概略平面図である。
【図３】図３は運転支援装置の作動の概要を説明するための概略平面図である。
【図４】図４の（Ａ）及び（Ｂ）は、白線オフセット量の算出方法を説明するための図である。
【図５】図５は運転支援ＥＣＵのＣＰＵが実行するルーチンを示したフローチャートである。
【発明を実施するための形態】
【００１１】
以下、本発明の実施形態に係る運転支援装置（以下、「本実施装置」とも称呼される。）について図面を参照しながら説明する。運転支援装置は、「衝突前制御装置」とも称呼される。
【００１２】
＜構成＞
図１に示すように、本実施装置は、車両に適用される。なお、本実施装置が適用される車両は、他の車両と区別するために「自車両」と称呼される場合がある。本実施装置は、運転支援ＥＣＵ１０、エンジンＥＣＵ２０、ブレーキＥＣＵ３０、電動パワーステアリングＥＣＵ（以下、「ＥＰＳ・ＥＣＵ」と称呼する。）４０、及び警報ＥＣＵ５０を備えている。
【００１３】
これらのＥＣＵは、ＣＡＮ（Controller Area Network）を介してデータ交換可能（通信可能）に互いに接続されている。各ＥＣＵはマイクロコンピュータを含む。マイクロコンピュータは、ＣＰＵ、ＲＯＭ、ＲＡＭ、及びインターフェース（Ｉ／Ｆ）等を含む。ＣＰＵはＲＯＭに格納されたインストラクション（プログラム、ルーチン）を実行することにより各種機能を実現する。以下において、運転支援ＥＣＵ１０は、単に、「ＤＳＥＣＵ」とも称呼される。
【００１４】
ＤＳＥＣＵには、周囲センサ１１、車輪速センサ１２、ヨーレートセンサ１３及び加速度センサ１４が接続されている。ＤＳＥＣＵは、それらのセンサの検出信号又は出力信号を受信するようになっている。各センサは、ＤＳＥＣＵ以外のＥＣＵに接続されていてもよい。その場合、ＤＳＥＣＵは、センサが接続されたＥＣＵからＣＡＮを介してそのセンサの検出信号又は出力信号を受信する。
【００１５】
周囲センサ１１は、レーダセンサ１１ａ、カメラセンサ１１ｂ及びＥＣＵ（物標認識部１１ｃ）を備えている。ＥＣＵは物標認識部１１ｃの機能を備えている。周囲センサ１１は、少なくとも自車両の前方の道路を含む自車両の周辺領域、及び、その自車両の周辺領域に存在する立体物を認識し、認識した立体物に関する情報を取得するようになっている。立体物は、例えば、歩行者、車両（例えば、自動車等）等の移動物、並びに、電柱、樹木及びガードレール等の固定物を表す。以下、立体物は「物標」と称呼される場合がある。
【００１６】
周囲センサ１１は、レーダセンサ１１ａ及びカメラセンサ１１ｂの少なくとも一つが取得した情報に基づいて、物標を認識する。
【００１７】
周囲センサ１１は、認識した物標についての情報（以下に述べる情報を含む物標情報）を演算して出力するようになっている。
・物標の縦距離Ｄｆｘ：物標の縦距離Ｄｆｘは、自車両の前端部と物標（例えば、対向車両）の前端部と間の自車両の中心軸方向（ｘ軸方向）の符号付き距離である。
・物標の横位置Ｄｆｙ：物標の横位置Ｄｆｙは、「物標の中心位置（例えば、対向車両の前端部の車幅方向中心位置）」の、自車両の中心軸と直交する方向（ｙ軸方向）の符号付き距離である。
・物標の相対速度Ｖｆｘ：物標の相対速度Ｖｆｘは、物標の速度Ｖｂと自車両の車速Ｖｓとの差（＝Ｖｂ−Ｖｓ）である。
尚、物標の縦距離Ｄｆｘ及び横位置Ｄｆｙは、「物標の検出位置」とも称呼あれる。
【００１８】
周囲センサ１１は、予め規定されたｘ−ｙ座標に基づいて、これらの値を取得する。ｘ軸は、自車両の前後方向に沿って自車両の前端部の車幅方向中心位置を通るように伸び、前方を正の値として有する座標軸である。ｙ軸は、ｘ軸と直交し、自車両ＳＶの左方向を正の値として有する座標軸である。ｘ軸の原点及びｙ軸の原点は、自車両ＳＶの所定位置（例えば、自車両ＳＶの前端部の幅方向中心位置）である。
【００１９】
より具体的に述べると、レーダセンサ１１ａは、レーダ波送受信部と処理部とを備えている。レーダ波送受信部は、例えば、ミリ波帯の電波（以下、「ミリ波」と称呼する。）を少なくとも自車両の前方領域を含む自車両の周辺領域に放射し、且つ、放射したミリ波が立体物の部分（即、反射点）によって反射されることにより生成される反射波を受信する。なお、レーダセンサ１１ａはミリ波帯以外の周波数帯の電波（レーダ波）を用いるレーダセンサであってもよい。
【００２０】
レーダセンサ１１ａの処理部は、送信したミリ波と受信した反射波との位相差、反射波の減衰レベル及びミリ波を送信してから反射波を受信するまでの時間等を含む反射点情報に基づいて、物標の有無を判定する。レーダセンサ１１ａの処理部は、１つの立体物を検出している可能性が高い「複数の反射点」をグルーピングし、グルーピングできた反射点の群を一つの物標として認識する。
【００２１】
更に、レーダセンサ１１ａの処理部は、認識できた物標に属する反射点の反射点情報に基づいて物標の縦距離Ｄｆｘ、自車両に対する物標の方位θp及び自車両と物標との相対速度Ｖｆｘ等（以下、「レーダセンサ検出情報」と称呼される。）を演算する。
【００２２】
カメラセンサ１１ｂは、ステレオカメラ及び画像処理部を備える。ステレオカメラは、自車両の前方の「左側領域及び右側領域」の風景を撮影して左右一対の画像データを取得する。画像処理部は、その撮影した左右一対の画像データに基づいて、撮影領域内に物標が存在するか否かを判定する。
【００２３】
物標が存在すると判定された場合、画像処理部は、その物標の方位θp、その物標の縦距離Ｄｆｘ及び自車両とその物標との相対速度Ｖｆｘ等を演算する。更に、画像処理部は、物標の種類（例えば、歩行者、車両（自動車等）等）をパターンマッチングによって識別し、物標の種類を示す情報を決定（取得）する。画像処理部が演算及び決定したこれらの情報は、「カメラセンサ検出情報」と称呼される。
【００２４】
物標認識部１１ｃは、レーダセンサ１１ａの処理部及びカメラセンサ１１ｂの画像処理部と通信可能となるように接続され、「レーダセンサ検出情報」及び「カメラセンサ検出情報」を受信するようになっている。
【００２５】
物標認識部１１ｃは、「レーダセンサ検出情報」、及び、「カメラセンサ検出情報」に基づいて、物標の物標情報（即ち、以下に述べる情報）を決定（取得）する。
・物標の検出位置（即ち、縦距離Ｄｆｘ、横位置Ｄｆｙ）
・物標の相対速度Ｖｆｘ
・物標の種類を示す情報
・物標の幅（物標の左右幅）Ｗ
・物標の長さＬ
【００２６】
なお、ある物標について、「レーダセンサ検出情報」及び「カメラセンサ検出情報」の両方が検出されている場合、物標認識部１１ｃは、これらの情報をフュージョン（統合）することにより物標の最終的な物標情報を決定（取得）する。これに対して、ある物標について、「レーダセンサ検出情報」及び「カメラセンサ検出情報」の何れか一方のみが検出されている場合、物標認識部１１ｃは、その検出できている情報のみに基づいて物標の最終的な物標情報を取得（決定）する。
【００２７】
物標認識部１７ｃは、所定時間が経過する毎に、決定した物標の最終的な物標情報をＤＳＥＣＵに送信する。
【００２８】
更に、カメラセンサ１７ｂの画像処理部は、左右一対の画像データに基づいて、道路の左及び右の白線等の車線区画線（以下、単に「白線」とも称呼する。）を認識する。そして、画像処理部は、自車両が走行している車線（走行車線（自車線））を区画する白線の位置（上述のｘ−ｙ座標上のｘ座標位置、ｙ座標位置）等を所定時間が経過する毎に演算し、ＤＳＥＣＵに送信するようになっている。
【００２９】
車輪速センサ１２は、自車両が備える４つの車輪毎に設けられている。ＤＳＥＣＵは、車輪速センサ１２が検出する各車輪の車輪速度に基づいて自車両の速度を示す車速Ｖｓを取得する。
【００３０】
ヨーレートセンサ１３は、自車両のヨーレートを検出し、ヨーレートＹｒｔを表す信号を出力するようになっている。
【００３１】
加速度センサ１４は、自車両の加速度を検出し、検出した加速度Ｇｓを表す信号を出力する。加速度Ｇｓが負の値であるとき、その加速度Ｇｓの大きさ（絶対値）は、減速度を表す。
【００３２】
エンジンＥＣＵ２０は、エンジンアクチュエータ２１に接続されている。エンジンアクチュエータ２１は、エンジン２２のスロットル弁の開度を変更するスロットル弁アクチュエータを含む。エンジンＥＣＵ２０は、エンジンアクチュエータ２１を駆動することによって、エンジン（内燃機関）２２が発生するトルクを変更することができる。エンジン２２が発生するトルクは、トランスミッション（不図示）を介して駆動輪に伝達されるようになっている。
【００３３】
従って、エンジンＥＣＵ２０は、エンジンアクチュエータ２１を制御することによって、自車両の駆動力を制御し加速状態（加速度）を変更することができる。なお、自車両が、ハイブリッド車両である場合、エンジンＥＣＵ２０は、車両駆動源としての「エンジン及び電動機」の何れか一方又は両方によって発生する自車両の駆動力を制御することができる。更に、自車両が電気自動車である場合、エンジンＥＣＵ２０は、車両駆動源としての電動機によって発生する自車両の駆動力を制御することができる。
【００３４】
ブレーキＥＣＵ３０は、ブレーキアクチュエータ３１に接続されている。ブレーキアクチュエータ３１は、ブレーキペダルの踏力によって作動油を加圧する図示しないマスタシリンダと、左右前後輪に設けられる摩擦ブレーキ機構３２との間の油圧回路に設けられる。摩擦ブレーキ機構３２は、車輪に固定されるブレーキディスク３２ａと、車体に固定されるブレーキキャリパ３２ｂとを備える。
【００３５】
ブレーキアクチュエータ３１は、ブレーキＥＣＵ３０からの指示に応じてブレーキキャリパ３２ｂに内蔵されたホイールシリンダに供給する油圧を調整し、その油圧によりホイールシリンダを作動させることによりブレーキパッドをブレーキディスク３２ａに押し付けて摩擦制動力を発生させる。従って、ブレーキＥＣＵ３０は、ブレーキアクチュエータ３１を制御することによって自車両の制動力を制御し加速状態（減速度（負の加速度Ｇｓ））を変更することができる。
【００３６】
ＥＰＳ・ＥＣＵ４０は、周知の電動パワーステアリングシステムの制御装置であって、モータドライバ４１に接続されている。モータドライバ４１は、転舵用モータ４２に接続されている。転舵用モータ４２は、「操舵ハンドルＳＷ、ステアリングシャフトＳＦ、及び、図示しない操舵用ギア機構等を含むステアリング機構」に組み込まれている。転舵用モータ４２は、モータドライバ４１から供給される電力によってトルクを発生し、このトルクによって操舵アシストトルクを発生したり、左右の操舵輪を転舵したりすることができる。即ち、転舵用モータ４２は、自車両の操舵角（「転舵角」又は「舵角」とも称呼される。）を変更することができる。
【００３７】
更に、ＥＰＳ・ＥＣＵ４０は、操舵角センサ４３及び操舵トルクセンサ４４に接続されている。操舵角センサ４３は、自車両の操舵ハンドルＳＷの操舵角を検出し、操舵角θｓを表す信号を出力するようになっている。操舵トルクセンサ４４は、操舵ハンドルＳＷの操作により自車両のステアリングシャフトＳＦに加わる操舵トルクを検出し、操舵トルクを表す信号を出力するようになっている。操舵角θｓ及び操舵トルクは、自車両の左旋回方向への操舵が行われる場合に正の値になり、自車両ＳＶの右旋回方向への操舵が行われる場合に負の値になるように定義されている。
【００３８】
ＥＰＳ・ＥＣＵ４０は、操舵トルクセンサ４４によって、運転者が操舵ハンドルＳＷに入力した操舵トルクを検出し、この操舵トルクに基づいて転舵用モータ４２を駆動する。ＥＰＳ・ＥＣＵ４０は、この転舵用モータ４２の駆動によってステアリング機構に操舵トルク（操舵アシストトルク）を付与し、これにより、運転者の操舵操作をアシストすることができる。
【００３９】
ＥＰＳ・ＥＣＵ４０は、ＤＳＥＣＵから操舵指令を受信した場合、その操舵指令に基づいて転舵用モータ４２を駆動する。従って、ＤＳＥＣＵは、ＥＰＳ・ＥＣＵ４０を介して自車両の転舵輪の操舵角を自動的に（即ち、運転者による操舵操作を必要とせずに）変更することができる（転舵輪を転舵できる。）。
【００４０】
警報ＥＣＵ５０は、ブザー５１及び表示器５２に接続されている。警報ＥＣＵ５０は、ＤＳＥＣＵからの指示に応じて、ブザー５１に警報音を出力させる。更に、警報ＥＣＵ５０は、警報ＥＣＵ５０からの指示に応じて、表示器５２に注意喚起用のマーク（例えば、ウォーニングランプ）等を表示させる。
【００４１】
＜作動の概要＞
（衝突前制御の概要）
ＤＳＥＣＵは、自車両と衝突する可能性が高い立体物である障害物（物標）が存在すると判定した場合に、当該障害物との衝突を回避するための周知の衝突前制御を実行する。
【００４２】
障害物と自車両とが衝突する可能性の判定（換言すると、衝突前制御の実行開始条件が成立するか否かの判定）については、従来から知られている種々の手法を採用することができる。例えば、ＤＳＥＣＵは、自車両が障害物と衝突するまでの予想時間である衝突時間ＴＴＣを障害物の縦距離Ｄｆｘ及び相対速度Ｖｆｘに基づいて算出する。
【００４３】
具体的には、衝突時間ＴＴＣは、縦距離Ｄｆｘを相対速度Ｖｆｘにより除して得られる値の符号を反転することによって算出される（即ち、ＴＴＣ＝−Ｄｆｘ／Ｖｆｘ。）。算出した衝突時間ＴＴＣが所定の時間閾値Ｔｔｈよりも小さいと（具体的には、衝突時間ＴＴＣが正の値であって且つ衝突時間ＴＴＣの絶対値が時間閾値Ｔｔｈよりも小さいと）、ＤＳＥＣＵは、自車両と衝突する可能性が高い障害物が存在する（衝突前制御の実行開始条件が成立する）と判定する。
【００４４】
衝突前制御は、例えば、運転者に注意喚起を行うための周知の警報制御及び障害物との衝突を回避するための周知の衝突回避制御（自動制動制御、自動操舵回避制御）等の少なくとも一つを含む。衝突前制御は、プリクラッシュセーフティー制御（Pre Crash Safety Control）とも称呼される。
【００４５】
ＤＳＥＣＵは、警報ＥＣＵ５０に指令を出力することにより、警報制御（例えば、ドライバーの注意を喚起させるための警報音をブザー５１に発生させる制御、及び、ドライバーの注意を喚起させるための画面を表示器５２に表示する制御）を実行する。ＤＳＥＣＵは、ブレーキＥＣＵ３０に指令を出力することにより、自動制動制御を実行する。ＤＳＥＣＵは、ＥＰＳ・ＥＣＵ４０に指令を出力することにより、自動操舵回避制御を実行する。
【００４６】
（白線越境判定）
図２に示すように、対向車両ＯＶが、自車両ＳＶの走行車線（自車線）に隣接する隣接車線を自車両ＳＶに向かって走行している状況を想定する。この場合、ＤＳＥＣＵは、対向車両ＯＶを判定対象となる物標（対象物標）として認識する。そして、ＤＳＥＣＵは、認識した対象物標が自車線を区画する白線を越えたか否かを判定する白線越境判定を行う。
なお、白線越境判定は、「区画線越境判定」とも称呼される。
【００４７】
白線越境判定は、例えば、次のように実行される。ＤＳＥＣＵは、自車線の左白線ＷＬ及び右白線ＷＲのうち対象物標に近い側の白線（本例において、左白線ＷＬ）の位置に基づいて、対象物標が白線を越えたか否かを判定する。
【００４８】
そして、ＤＳＥＣＵは、対象物標が白線を越えたと判定した場合であって、対象物標が自車両ＳＶと衝突する可能性があると判定された（衝突前制御の実行開始条件が成立した）場合、上述の衝突前制御を実行する。一方、ＤＳＥＣＵは、対象物標が白線を越えていないと判定した場合、上述の衝突前制御は実行されない。このように白線越境判定の結果を、衝突前制御の実行条件の一つとすることによって、衝突前制御の不要な実行を低減できる。
【００４９】
しかし、図３に示すように、対向車両ＯＶが自車両ＳＶに近い位置で自車両ＳＶの走行車線の白線を越える場合、対向車両ＯＶがレーダセンサ１１ａに近いことによるレーダセンサ１１ａの検出精度の低下等に起因して、対象物標の検出位置に誤差が生じる。即ち、例えば、対象物標の検出位置が、白線を越えた位置Ｐ０（対向車両ＯＶの前端位置に対応する本来の検出位置）ではなく、白線を越えていない位置Ｐ１になるという誤差が生じることがあり得る。
【００５０】
このため、点線で示す対向車両ＯＶが実際に左白線ＷＬを越えているにも関わらず、左白線ＷＬを越えていると判定されない可能性がある。この場合、衝突前制御の実行が許可されないので、衝突前制御の実行が遅れてしまうことや衝突前制御が実行されるべき状況で、衝突前制御の実行が適切に行われなくなってしまう可能性があり、好ましくない。
【００５１】
そこで、ＤＳＥＣＵは、対象物標の大きさ（対象物標の幅Ｗ及び長さＬ）及び衝突時角θｂに基づいて、白線オフセット量Ｄ１（即ち、白線位置のずらし量）を次のように、算出する。
【００５２】
（白線オフセット量の算出）
図４の（Ａ）に示すように、ＤＳＥＣＵは、対象物標の過去に所定経過時間毎に取得された複数の検出位置と、現地点の検出位置に基づいて、対象物標が移動すると予想される予想移動軌跡ＯＬを取得する。具体的に述べると、例えば、ＤＳＥＣＵは、対象物標の過去の複数の検出位置及び現時点の検出位置に基づいて、最小二乗法等により近似直線の傾きを求める。そして、ＤＳＥＣＵは、現時点の対象物標の検出位置に基づいて特定した位置から延び、且つ、求めた上記傾きを有する直線を、対象物標の予想移動軌跡ＯＬとして取得する。更に、ＤＳＥＣＵは、自車両ＳＶの操舵角θｓ及びヨーレートＹｒｔに基づいて、自車両ＳＶが走行すると予想される自車両ＳＶの予想走行軌跡ＳＬを取得する。
【００５３】
そして、ＤＳＥＣＵは、対象物標の予想移動軌跡ＯＬと自車両ＳＶの予想走行軌跡ＳＬとの交点Ｑ１を特定する。自車両ＳＶの予想走行軌跡ＳＬが直線の場合、その交点Ｑ１にて、対象物標の予想移動軌跡ＯＬと自車両ＳＶの予想走行軌跡ＳＬとが形成する角度を衝突時角θｂとして取得する。なお、図示は省略するが、自車両ＳＶの予想走行軌跡ＳＬが曲線である場合、その交点Ｑ１にて、対象物標の予想移動軌跡ＯＬと、自車両ＳＶの予想走行軌跡ＳＬのその交点Ｑ１における接線とが形成する角度を衝突時角θｂとして取得する。
【００５４】
図４の（Ｂ）に示すように、ＤＳＥＣＵは、対象物標の幅Ｗ及び長さＬと、衝突時角θｂとを用いて、下記計算式により、白線オフセット量Ｄ１を算出する。
（計算式）
「白線オフセット量Ｄ１」＝「対象物標の長さＬ」×|ｓｉｎθｂ|＋「対象物標の幅Ｗ」×|ｃｏｓθｂ|
【００５５】
このように算出された白線オフセット量Ｄ１は、対象物標の検出位置（特に横位置Ｄｆｙ）の最大誤差（換言すると、対象物標のｙ軸方向（自車両ＳＶの幅方向に沿う方向）の一端及び他端の間の長さ）に対応する。ＤＳＥＣＵは、算出した白線オフセット量Ｄ１だけ、白線の位置（ｙ座標位置）を、ｙ軸方向（自車両ＳＶの幅方向に沿う方向）且つ自車両ＳＶから離れる方向にずらす。
【００５６】
そして、ＤＳＥＣＵは、白線オフセット量Ｄ１だけ位置がずらされた白線の位置を、白線越境判定の判定基準となる判定境界線ＤＬとして設定する。そして、ＤＳＥＣＵは、対象物標の検出位置及び判定境界線ＤＬに基づいて、その対象物標の白線越境判定を行う。このように、判定境界線ＤＬに基づいて、対象物標の白線越境判定を行うことにより、対象物標の検出位置の誤差に起因して、対象物標が白線を越えたと判定されるタイミングが、実際に対象物標（対向車両ＯＶ）が白線を越えたタイミングに対して遅れる可能性を低減できる。
【００５７】
＜具体的作動＞
ＤＳＥＣＵのＣＰＵ（単に「ＣＰＵ」と称呼する。）は、所定時間が経過する毎に図５にフローチャートにより示したルーチンを実行するようになっている。
【００５８】
従って、所定のタイミングになると、ＣＰＵは、図５のステップ５００から処理を開始して、以下に述べるステップ５０５乃至ステップ５２５を順に行った後、ステップ５３０に進む。
【００５９】
ステップ５０５：ＣＰＵは、周囲センサ１１を用いて、周囲センサ１１が取得している全ての物標の物標情報を取得する。ＣＰＵは、物標情報に基づいて、取得した物標の中から対向車両ＯＶ（例えば、自車線の範囲外の所定領域（例えば、自車線に隣接する隣接車線内）を自車両ＳＶに向かって走行する対向車両ＯＶ）として認識された物標を、対象物標として特定する。
【００６０】
ステップ５１０：ＣＰＵは、カメラセンサ１１ｂを用いて、自車線を区画する左白線ＷＬ及び右白線ＷＲを検出し、これらの白線の位置をそれぞれ取得する。
ステップ５１５：ＣＰＵは、対象物標の物標情報に基づいて、対象物標の大きさ（幅Ｗ及び長さＬ）を取得する。
ステップ５２０：ＣＰＵは、対象物標と自車両ＳＶとの衝突時角θｂを取得（推定）する。
ステップ５２５：ＣＰＵは、対象物標の幅Ｗ及び長さＬ、衝突時角θｂに基づいて、白線オフセット量Ｄ１を算出する。具体的に述べると、ＣＰＵは、対象物標の幅Ｗ及び長さＬ、衝突時角θｂを上述の計算式に代入することにより、白線オフセット量Ｄ１を算出する。
【００６１】
ＣＰＵは、ステップ５３０に進むと、対象物標が、白線オフセット量Ｄ１だけｙ軸方向（自車両ＳＶの幅方向に沿った方向）且つ自車両ＳＶから離れる方向に位置をずらした白線（即ち、判定境界線ＤＬ）を、超えたか否かを判定する。
【００６２】
対象物標が判定境界線ＤＬを越えていないと判定した場合、ＣＰＵはステップ５３０にて「Ｎｏ」と判定して、ステップ５９５に進んで本ルーチンを一旦終了する。
【００６３】
対象物標が判定境界線ＤＬを越えたと判定した場合、ＣＰＵはステップ５３０にて「Ｙｅｓ」と判定して、ステップ５３５に進んで、自車両ＳＶが対象物標と衝突する可能性があるか否かを判定する。即ち、衝突前制御の実行開始条件が成立するか否かを判定する。
【００６４】
衝突前制御の実行開始条件が成立しない場合、ＣＰＵはステップ５３５にて「Ｎｏ」と判定してステップ５９５に進み、本ルーチンを一旦終了する。
【００６５】
これに対して、衝突前制御の実行開始条件が成立する場合、ＣＰＵはステップ５３５にて「Ｙｅｓ」と判定してステップ５４０に進み、上述した衝突前制御を実行する。その後、ＣＰＵはステップ５９５に進み、本ルーチンを一旦終了する。
【００６６】
以上説明した本実施装置によれば、判定境界線ＤＬに基づいて、対象物標の白線越境判定を行うことにより、対象物標の検出位置の誤差に起因して、対象物標が白線を越えたと判定されるタイミングが、実際に対象物標（対向車両ＯＶ）が白線を越えたタイミングに対して遅れる可能性を低減できる。従って、本実施装置は、衝突前制御を適切に実行させることができる
【００６７】
＜変形例＞
以上、本発明の実施形態について具体的に説明したが、本発明は、上述の実施形態に限定されず、本発明の技術的思想に基づく各種の変形例を採用し得る。例えば、上述の実施形態において挙げた構成及び方法等はあくまでも例に過ぎず、必要に応じてこれと異なる構成及び方法等を用いてもよい。
【符号の説明】
【００６８】
１０…運転支援ＥＣＵ、１１…周囲センサ、１１ａ…レーダセンサ、１１ｂ…カメラセンサ、１１ｃ…物標認識部、１２…車輪速センサ、１３…ヨーレートセンサ、１４…加速度センサ、２０…エンジンＥＣＵ、３０…ブレーキＥＣＵ、４０…ＥＰＳ・ＥＣＵ、５０…警報ＥＣＵ
【図１】
2020155007.tif 000003
【図２】
2020155007.tif 000004
【図３】
2020155007.tif 000005
【図４】
2020155007.tif 000006
【図５】
2020155007.tif 000007